(57)【特許請求の範囲】
【請求項１】
給水ライン（１４）から取り入れた水を加熱する熱源ユニット（１１）と、前記熱源ユニットで加熱された水が溜められる給湯タンク（１２）と、前記給湯タンクから給湯ライン（１６）を介して送られた湯を利用者に使用させるための湯使用部（１３）と、前記給湯タンク内の水を熱源ユニットに流すことが可能な保温ライン（１８）と、を有する給湯機（１０）の制御装置であって、
所定時間帯に実行される基本沸き上げ動作及び前記所定時間帯以外の時間帯に実行される追加沸き上げ動作を、前記熱源ユニットに行わせる熱源制御部（２６）と、
前記湯使用部において使用された湯の使用量の実績データを蓄積する蓄積部（４４ｂ）と、
前記給湯タンクに溜める湯の目標量であるタンク目標湯量を、前記実績データに基づき決定する決定部（４５）と、
を備え、
前記熱源制御部は、前記決定部により決定された前記タンク目標湯量に応じて前記基本沸き上げ動作及び／又は前記追加沸き上げ動作を前記熱源ユニットに行わせ、かつ、前記給湯タンクに溜められた湯の温度に基づき、前記給湯タンク内に溜められた湯の温度を目標温度にするための保温動作を、前記保温ラインを流れた水を前記熱源ユニットで加熱することによって行い、
前記蓄積部には、さらに、前記保温動作の動作履歴データが蓄積され、
前記決定部は、前記実績データに加えて前記動作履歴データを利用して曜日別に前記タンク目標湯量を決定する、
制御装置（６０）。
【請求項２】
前記決定部は、前記タンク目標湯量を時間帯別に決定する、
請求項１に記載の制御装置。
【請求項３】
前記決定部は、外気温度情報及び／又は気象情報を利用して前記タンク目標湯量を決定
する、
請求項１又は２に記載の制御装置。
【請求項４】
前記給湯機を遠隔から管理するための遠隔制御部（４０）、
を備える、
請求項１から３のいずれか１項に記載の制御装置。
【請求項５】
前記タンク目標湯量は、前記給湯機が設置されている物件における設備機器のデマンド
時限に応じて設定されている前記給湯機の消費電力量を利用して決定されている、
請求項１から４のいずれか１項に記載の制御装置。
【請求項６】
前記給湯機は、前記給水ラインを介して前記熱源ユニットへと送られる水を貯留する受
水槽（１７）、を有する、
請求項１から５のいずれか１項に記載の制御装置。
【発明の詳細な説明】
【技術分野】
【０００１】
本発明は、給湯機の制御装置に関する。
【背景技術】
【０００２】
従来より、熱源ユニットと熱源ユニットで加熱された水が溜められる給湯タンクとを備える給湯機において、所定時間帯に実行される基本沸き上げ動作と、該所定時間帯以外の時間帯に実行される追加沸き上げ動作と、を熱源ユニットに行わせるものがある。例えば、特許文献１（特開２０１３−８７９６１号公報）に開示されている給湯機では、所定時間帯としての深夜時間帯に実行される沸き上げ動作と、所定時間帯以外の時間帯としての昼間時間帯に実行される沸き増し動作と、を熱源ユニットとしてのヒートポンプ式加熱手段に行わせている。
【０００３】
ここで、特許文献１に開示されている給湯機の沸き増し動作は、沸き上げ動作によって沸き上げられない分の熱量を沸き上げるための動作である。そして、沸き増し動作が必要以上に早く行われることに起因する給湯タンクからの放熱を抑制するために、過去１週間の１日毎の使用熱量のバラツキ度合いに応じて、沸き増し動作を開始するタイミングをシフトしている。
【発明の概要】
【発明が解決しようとする課題】
【０００４】
ところで、近年では、基本沸き上げ動作及び追加沸き上げ動作を実行する給湯機において、より効率的に給湯タンクに貯湯することが望まれている。
【０００５】
そこで、本発明の課題は、給湯タンクに効率的に貯湯することのできる給湯機の制御装置を提供することにある。
【課題を解決するための手段】
【０００６】
本発明の第１観点に係る制御装置は、給水ラインから取り入れた水を加熱する熱源ユニットと、熱源ユニットで加熱された水が溜められる給湯タンクと、給湯タンクから給湯ラインを介して送られた湯を利用者に使用させるための湯使用部と、を有する給湯機の制御装置であって、熱源制御部と、蓄積部と、決定部と、を備える。熱源制御部は、基本沸き上げ動作及び追加沸き上げ動作を、熱源ユニットに行わせる。基本沸き上げ動作は、所定時間帯に実行される。追加沸き上げ動作は、前記所定時間帯以外の時間帯に実行される。蓄積部は、湯使用部において使用された湯の使用量の実績データを蓄積する。決定部は、給湯タンクに溜める湯の目標量であるタンク目標湯量を、実績データに基づき決定する。決定部は、タンク目標湯量を曜日別に決定する。そして、熱源制御部は、決定部により決定されたタンク目標湯量に応じて基本沸き上げ動作及び／又は追加沸き上げ動作を熱源ユニットに行わせる。
【０００７】
ここで、商業施設等の所定の物件における給湯機の湯の使われ方の特徴として、一般家庭に比べて曜日毎に必要な湯量が大きく変動するという特徴がある。
【０００８】
本発明の第１観点に係る制御装置では、湯使用部において使用された湯の使用量の実績データに基づき曜日別に決定されたタンク目標湯量に応じて、基本沸き上げ動作及び／又は追加沸き上げ動作が実行される。このため、利用者の使用状況に応じて効率的に貯湯することができる。特に、曜日別に湯の使用状況が大きく変動するような物件においては、タンク目標湯量が曜日別に決定されていることで、例えば過去１週間分の湯の使用量の実績データの平均値に基づきタンク目標湯量が決定されるよりも、より効率的に給湯タンクに貯湯できるタイミングで、基本沸き上げ動作及び／又は追加沸き上げ動作を実行することができる。
【０００９】
これによって、給湯タンクに効率的に貯湯することができる。
【００１０】
本発明の第２観点に係る制御装置は、第１観点の制御装備において、決定部は、タンク目標湯量を時間帯別に決定する。このため、この制御装置では、時間帯別の使用実績データに基づくタンク目標湯量に応じて基本沸き上げ動作及び／又は追加先上げ動作が行われるため、例えば１日毎（すなわち、２４時間毎）のタンク目標湯量が決定されるよりも、適切な湯量を給湯タンクに溜めておくことができる。
【００１１】
本発明の第３観点に係る制御装置は、第１観点又は第２観点の制御装置において、決定部は、外気温度情報及び／又は気象情報を利用してタンク目標湯量を決定する。
【００１２】
給湯タンクが屋外に設置されている場合、給湯タンクに貯留される湯は外気温度や天候の影響を受けやすい傾向にある。
【００１３】
この制御装置では、外気温度や気象情報が利用されてタンク目標湯量が決定されるため、給湯タンクに溜める湯量を適切に制御することができる。
【００１４】
本発明の第４観点に係る制御装置は、第１観点から第３観点のいずれかの制御装置において、給湯機を遠隔から管理するための遠隔制御部を備える。このため、この制御装置では、遠隔から実績データやタンク目標湯量等を監視することができる。
【００１５】
本発明の第５観点に係る制御装置は、第１観点から第４観点のいずれかの制御装置において、熱源制御部は、保温動作を熱源ユニットに行わせる。保温動作は、給湯タンクに溜められた湯の温度に基づき、給湯タンク内に溜められた湯の温度を目標温度にするための動作である。この制御装置では、保温動作を熱源ユニットに行わせることで、給湯タンクに溜められた湯の温度が下がり過ぎるおそれを低減することができる。
【００１６】
本発明の第６観点に係る制御装置は、第５観点の制御装置において、蓄積部には、保温動作の動作履歴データが蓄積される。決定部は、動作履歴データを利用してタンク目標湯量を決定する。
【００１７】
ここで、給湯タンクに溜められた湯を目標温度にする場合、保温動作が行われるよりも、追加沸き上げ動作が行われたほうが、ＣＯＰ（成績係数）がよいことがある。
【００１８】
この制御装置では、保温動作の動作履歴データを利用してタンク目標湯量が決定されることで、保温動作の行われる回数を減らしたり、保温動作に代えて追加沸き上げ動作を行わせたりすることができる。これにより、給湯機に消費される電力を抑えることができる。
【００１９】
本発明の第７観点に係る制御装置は、第１観点から第６観点のいずれかの制御装置において、タンク目標湯量は、給湯機が設置されている物件における設備機器のデマンド時限に応じて設定されている給湯機の消費電力量を利用して決定されている。
【００２０】
ここで、物件に設置された設備機器は電力の供給を受けているため、設備機器は電力の消費源となり得る。一般的に消費電力の合計値が大きいほど、契約している電力会社に支払う基本料金が高くなるため、近年では、設備機器を含む様々な機器の消費電力の合計値をなるべく抑えようとする動きが高まりつつある。
【００２１】
この制御装置では、デマンド時限に応じて所定の時間帯における給湯機の消費電力量が抑制されるようにタンク目標量が決定されることで、利用者の湯の使用状況に対応すると共に、設備機器全体で消費される電力量を調整することができる。
【００２２】
本発明の第８観点に係る制御装置は、第１観点から第７観点のいずれかの制御装置において、給湯機は、給水ラインを介して熱源ユニットへと送られる水を貯留する受水槽を有する。このため、この制御装置では、受水槽を有する給湯機を制御することができる。
【発明の効果】
【００２３】
本発明の第１観点に係る制御装置では、給湯タンクに効率的に貯湯することができる。
【００２４】
本発明の第２観点に係る制御装置では、適切な湯量を給湯タンクに溜めておくことができる。
【００２５】
本発明の第３観点に係る制御装置では、給湯タンクに溜める湯量を適切に制御することができる。
【００２６】
本発明の第４観点に係る制御装置では、遠隔から実績データやタンク目標湯量等を監視することができる。
【００２７】
本発明の第５観点に係る制御装置では、給湯タンクに溜められた湯の温度が下がり過ぎるおそれを低減することができる。
【００２８】
本発明の第６観点に係る制御装置では、給湯機に消費される電力を抑えることができる。
【００２９】
本発明の第７観点に係る制御装置では、利用者の湯の使用状況に対応すると共に、設備機器全体で消費される電力量を調整することができる。
【００３０】
本発明の第８観点に係る制御装置では、受水槽を有する給湯機を制御することができる。
【図面の簡単な説明】
【００３１】
【図１】本発明の一実施形態に係る制御装置を使用した給湯機の概略構成図。
【図２】本発明の一実施形態に係る制御装置の概略構成図。
【図３】コントローラの概略構成図。
【図４】コントローラの有する記憶部に含まれる各種領域を示す図。
【図５】日報データの一例を示す図。
【図６】管理サーバの概略構成図。
【図７】管理サーバの有する記憶部に含まれる各種領域を示す図。
【図８】コントローラ及び管理サーバにおける処理の流れを示す図。
【図９】物件の翌日のパターンと物件情報等との対応関係を示す図。
【図１０】物件の翌日のパターンと各時刻におけるタンク目標湯量との対応関係を示す図。
【図１１】変形例Ｂにおける給湯機の概略構成図。
【図１２】チューニング前のタンク目標湯量に応じた各運転時間及び使用実績の一例を示す図。
【図１３】チューニング後のタンク目標湯量に応じた各運転時間及び使用実績の一例を示す図。
【発明を実施するための形態】
【００３２】
本発明の一実施形態に係る給湯機１０の制御装置６０について、図面を参照しながら説明する。なお、以下の本発明の実施形態は、本発明の趣旨を逸脱しない範囲で適宜変更可能である。
【００３３】
（１）給湯機１０の全体構成
図１は、本発明の制御装置６０を使用した給湯機１０の概略構成図である。図２は、制御装置６０の概略構成図である。この給湯機１０は、宿泊施設、給食センター、食堂、病院及び福祉施設等の大型施設で利用される給湯設備である。図１に示すように、給湯機１０は、主として、熱源ユニット１１と、給湯タンク１２と、湯使用部１３と、制御装置６０と、給水ライン１４と、出湯ライン１５と、給湯ラインとしての湯循環路１６とを備える。給水ライン１４は、受水槽１７と熱源ユニット１１とを接続する管である。出湯ライン１５は、熱源ユニット１１と給湯タンク１２とを接続する管である。湯循環路１６は、給湯タンク１２と湯使用部１３とを接続する管である。図１において、給水ライン１４、出湯ライン１５及び湯循環路１６に沿った矢印は、水または湯の流れる方向を示している。
【００３４】
（２）給湯機１０の詳細構成
（２−１）受水槽１７
受水槽１７は、屋外に設置されており、給湯機１０において使用される水を貯留するための槽である。受水槽１７は、上水道等に接続される。受水槽１７は、給水ライン１４を介して熱源ユニット１１に水を供給する。
【００３５】
（２−２）熱源ユニット１１
熱源ユニット１１は、屋外に設置される。熱源ユニット１１は、冷凍サイクルを循環する冷媒と熱交換を行うヒートポンプを用いて水を加熱し、湯を生成する。熱源ユニット１１は、受水槽１７から給水ライン１４を介して水の供給を受ける。熱源ユニット１１は、給水ライン１４から取り入れた水を加熱する。熱源ユニット１１は、加熱された水である湯を、出湯ライン１５を介して給湯タンク１２へと送る。
【００３６】
出湯ライン１５には、熱源ユニット１１において生成された湯量を検出するための湯生成量検出センサ９０や出湯ライン１５を流れる湯の温度を検出するための生成湯温度検出センサ９１が設けられている（図３参照）。湯生成量検出センサ９０及び生成湯温度検出センサ９１の検出値は、コントローラ２０へと送られる。
【００３７】
（２−３）給湯タンク１２
給湯タンク１２は、熱源ユニット１１から出湯ライン１５を介して供給される水すなわち湯を貯めるための開放型又は密閉型タンクである。給湯タンク１２に貯められた湯は、湯循環路１６を介して湯使用部１３に供給される。湯循環路１６は、図１に示すように、環状になっており、給湯タンク１２の内部に貯められた湯は湯循環路１６を介して湯使用部１３へと送られる一方で、湯使用部１３で利用されなかった湯は湯循環路１６を介して給湯タンク１２に戻される。
【００３８】
給湯タンク１２には、給湯タンク１２に溜まっている湯の量（以下、残湯量という）を検出するための残湯量検出センサ９２が設けられている（図３参照）。このセンサとしては、例えば、水圧センサや水温センサが採用される。水圧センサを例として説明すると、水圧センサは給湯タンク１２の下部に取り付けられており、給湯タンク１２内部の湯による水圧を検出することで、給湯タンク１２の残湯量を推定する。なお、残湯量検出センサ９２の検出値及び給湯タンク１２に溜められている湯の温度を検出するための残湯温度検出センサ９３の検出値は、コントローラ２０へと送られる。
【００３９】
（２−４）湯使用部１３
湯使用部１３は、台所、シャワー及びプール等、給湯タンク１２に貯められている湯が利用者に使用させるためのものである。給湯タンク１２に貯められている湯は、給湯ポンプ１６ａによって、湯循環路１６を介して、湯使用部１３に供給される。
【００４０】
（２−５）制御装置６０
制御装置６０は、給湯機１０の有する各部１１，１６ａを制御するための装置である。制御装置６０は、主として、給湯機１０の設置された物件に配されるコントローラ２０と、コントローラ２０と通信可能に遠隔に設置された遠隔制御部としての管理サーバ４０と、を備える。
【００４１】
（３）制御装置６０の詳細構成
（３−１）コントローラ２０
図３は、コントローラ２０の概略構成図である。コントローラ２０は、物件の給湯機１０の有する各部１１，１６ａと接続されており、各部１１，１６ａに制御信号を送信することで給湯機１０の動作制御を行う。また、ここでは、図１に示すように、コントローラ２０は、給湯タンク１２の外壁に取り付けられている。
【００４２】
また、コントローラ２０は、給湯機１０に関する日報データを作成し、作成した日報データを管理サーバ４０に送信する。なお、所定時間帯としての夜間電力時間帯が所定時間帯以外の時間帯としての昼間電力時間帯よりも電力料金単価が安価となる料金制度が採用されている場合、ここでいう日報データには、夜間電力時間帯の開始時刻から昼間電力時間帯の終了時刻までに取得される各種情報が含まれる。例えば、１月１日の夜間電力時間帯の開始時刻が２２：００であり、昼間電力時間帯の終了時刻が１月２日の２２：００である場合、コントローラ２０は１月１日の２２：００から１月２日の２２：００までの２４時間分の各種情報に基づき日報データを作成する。ここでは、上記料金制度が採用されている場合を例として説明する。なお、以下より、夜間電力時間帯の開始時刻から昼間電力時間帯の終了時刻までの間の２４時間を１日とする。また、ここでは、昼間電力時間帯の属する曜日を、各種情報の属する曜日として処理するものとする。
【００４３】
コントローラ２０は、管理サーバ４０からの要求に応じて、或いは自動的に、日報データ以外にも所定の情報を管理サーバ４０に対して送信する。また、コントローラ２０は、管理サーバ４０から翌日のスケジュールに関する情報を受信し、このスケジュールに関する情報をセットする。
【００４４】
コントローラ２０は、主に、入力部２１と、出力部２２と、通信部２３と、記憶部２４と、日報データ作成部２５と、熱源制御部２６と、を備える。
【００４５】
（３−１−１）入力部２１
入力部２１は、給湯機１０の利用者からの各種情報及び各種操作の入力を受け付ける。入力部２１は、例えば、キーボードやタッチパネルディスプレイ等の入力機器である。
【００４６】
（３−１−２）出力部２２
出力部２２は、入力情報等の各種情報を出力する。出力部２２は、例えば、ディスプレイ等の出力機器である。
【００４７】
（３−１−３）通信部２３
通信部２３は、所定のネットワーク機器を介してインターネット６１と接続されると共に、管理サーバ４０から翌日のスケジュールに関する情報を受信する。スケジュールに関する情報には、時間帯別のタンク目標湯量に関する情報が含まれる。
【００４８】
また、通信部２３は、管理サーバ４０に対して前日の日報データを含む所定の情報を送信する。所定の情報には、翌日の夜間電力時間帯の開始直前の給湯タンク１２内の残湯量に関するデータ、すなわち当日の昼間電力時間帯の終了直前の給湯タンク１２内の残湯量に関するデータが含まれる。
【００４９】
（３−１−４）記憶部２４
図４は、記憶部２４に含まれる各種領域２４ａ〜２４ｄを示す図である。記憶部２４には、入力部２１が受け付けた各種情報、給湯機１０の各種センサ９０〜９４から送信される各種データ、及び熱源ユニット１１の制御に必要な各種プログラム等が記憶される。
【００５０】
記憶部２４には、残湯量記憶領域２４ａと、湯生成量記憶領域２４ｂと、外気温度記憶領域２４ｃと、スケジュール記憶領域２４ｄとが含まれる。
【００５１】
残湯量記憶領域２４ａには、残湯量検出センサ９２が検出した検出値、すなわち給湯タンク１２の残湯量に関するデータ（以下、残湯量データという）が記憶される。ここでは、残湯量記憶領域２４ａには、１日の所定期間の終点時刻における残湯量データが少なくとも記憶される。
【００５２】
湯生成量記憶領域２４ｂには、湯生成量検出センサ９０が検出した値、すなわち熱源ユニット１１において生成された湯量に関するデータ（以下、湯生成量データという）が記憶される。ここでは、湯生成量記憶領域２４ｂには、湯生成量検出センサ９０が湯の流れを検出する毎に、湯生成量データがその検出時刻と関連づけて記憶される。
【００５３】
外気温度記憶領域２４ｃには、外気温度検出センサ９４が検出した値、すなわち給湯機１０の設置されている地域の外気温度に関するデータ（以下、外気温度データという）が記憶される。ここでは、外気温度検出センサ９４は、例えば熱源ユニット１１に設けられており、その検出値を所定時間毎にコントローラ２０へと送る。そして、外気温度記憶領域２４ｃには、外気温度検出センサ９４から検出値が送信される毎に、外気温度データがその検出時刻と関連づけて記憶される。
【００５４】
スケジュール記憶領域２４ｄは、管理サーバ４０から送信された翌日のスケジュールに関する情報を記憶する領域である。翌日のスケジュールに関する情報には、図４に示すように、時間帯別のタンク目標湯量に関する情報、ここでは、所定時刻毎（１時間毎）のタンク目標湯量に関する情報が含まれている。
【００５５】
（３−１−５）日報データ作成部２５
図５は、コントローラ２０から管理サーバ４０へと送られる日報データの一例を示す図である。日報データ作成部２５は、記憶部２４に記憶されている各種情報に基づき、管理サーバ４０へと送信する日報データを作成する。ここでは、日報データ作成部２５は、当日の夜間電力時間帯の間に前日の日報データを作成する。
【００５６】
日報データには、１日の所定期間毎の湯生成量データ、湯使用量データ、及び外気温度データが含まれる。所定期間（例えば、２２：００〜２３：００）における湯生成量データは、湯生成量記憶領域２４ｂに記憶されているその所定期間（２２：００〜２３：００）に属する湯生成量データを積算することで求められる。所定期間（例えば、２２：００〜２３：００）における湯使用量は、残湯量記憶領域２４ａに記憶されているその所定期間の終点（２３：００）における残湯量データの値から、その所定期間（２２：００〜２３：００）における湯生成量データの値を差し引くことで求められる。所定期間（例えば、２２：００〜２３：００）における外気温度データは、その所定期間（２２：００〜２３：００）に属する外気温度データの平均値を算出することで求めることができる。なお、図５では、所定期間（例えば、２２：００〜２３：００）における湯生成量データ、湯使用量データ、及び外気温度データそれぞれは、所定期間の始点時刻（２２：００）の欄に示す方式が採られている。
【００５７】
（３−１−６）熱源制御部２６
熱源制御部２６は、熱源ユニット１１を制御することで、給湯タンク１２に溜める湯を生成する。ここでは、熱源制御部２６は、給湯タンク１２が湯切れを起こさないように（給湯タンク１２の残湯量が後述する安全率を下回らないように）、基本沸き上げ動作及び追加沸き上げ動作を含む給湯動作を熱源ユニット１１に行わせる。基本沸き上げ動作は夜間電力時間帯に実行される動作のことであり、追加沸き上げ動作は昼間電力時間帯に実行される動作のことである。熱源制御部２６が、熱源ユニット１１に基本沸き上げ動作実行させることで蓄熱運転が行われ、熱源ユニット１１に追加沸き上げ動作を実行させることで貯湯運転が行われることになる。
【００５８】
また、熱源制御部２６は、スケジュール記憶領域２４ｄに記憶されている時間帯別のタンク目標湯量に応じて、基本沸き上げ動作及び追加沸き上げ動作を熱源ユニット１１に行わせる。タンク目標湯量は所定時刻毎に設定されており、所定時刻における給湯タンク１２内の湯量が、該時刻に対応するタンク目標湯量となるように、熱源制御部２６が熱源ユニット１１に所定の動作を行わせる。例えば、所定時刻としての８：００のタンク目標湯量が１００％である場合には、所定時刻である８：００における給湯タンク１２内の湯量が、該時刻に対応するタンク目標湯量である１００％となるように、熱源制御部２６は所定期間となる７：００〜８：００の間に熱源ユニット１１に所定の動作を行わせる。このため、タンク目標湯量が決まることで、各時間帯における熱源ユニット１１の稼働のタイミングが決まることになる。
【００５９】
（３−２）管理サーバ４０
図６は、管理サーバ４０の概略構成図である。管理サーバ４０は、インターネット６１を介してコントローラ２０から送信されてくる給湯機１０に関する情報を格納すると共に、翌日のスケジュールに関する情報を作成してコントローラ２０へと送信する。管理サーバ４０は、入力部４１と、出力部４２と、通信部４３と、記憶部４４と、演算処理部４５と、を有する。
【００６０】
（３−２−１）入力部４１
入力部４１は、管理サーバ４０の使用者からの各種情報及び各種操作の入力を受け付ける。入力部４１は、例えば、マウスやキーボード等の入力機器である。
【００６１】
（３−２−２）出力部４２
出力部４２は、入力情報等の各種情報を出力する。出力部４２は、例えば、ディスプレイ等の出力機器である。
【００６２】
（３−２−３）通信部４３
通信部４３は、所定のネットワーク機器を介してインターネット６１と接続されると共に、コントローラ２０から送信される日報データを含む各種情報を受信する。さらに、通信部４３は、管理サーバ４０側で作成した翌日のスケジュールに関する情報をコントローラ２０へと送信する。
【００６３】
（３−２−４）記憶部４４
図７は、記憶部４４に含まれる各種領域４４ａ，４４ｂを示す図である。記憶部４４には、入力部４１が受け付けた各種情報、演算処理部４５で実行されるスケジュールの作成に関するプログラムを含む各種演算プログラム、及び演算処理部４５の演算処理に必要な各種データ等が記憶される。
【００６４】
記憶部４４には、物件情報記憶領域４４ａと、蓄積部としての使用実績記憶領域４４ｂと、が含まれる。
【００６５】
物件情報記憶領域４４ａには、対象物件に関する情報が記憶される。対象物件に関する情報には、対象物件の名称、業種、設備、使用パターン、余裕率コースに関する情報が含まれる。設備に関する情報には、給湯タンク１２の最大貯湯量に関する情報が含まれる。使用パターンに関する情報には、その物件における貯湯運転必要性の有無、及び夜間電力時間帯における湯の利用の有無に関する情報が含まれる。余裕率コースに関する情報とは、給湯タンク１２の余剰湯量の割合に関する情報であり、例えば、一般に標準とされる余剰湯量１０％コース、標準よりも省エネルギーを目的とした余剰湯量０％コース、湯切れ防止を目的とした余剰湯量２０％コース等を含むコースが設けられている。対象物件に関する情報は、例えば、給湯機１０の利用者からコントローラ２０の入力部２１を介して入力され、インターネット６１を介して通信部２３から管理サーバ４０へと送られ記憶部４４の物件情報記憶領域４４ａに記憶される。
【００６６】
使用実績記憶領域４４ｂには、コントローラ２０から送信される日報データ内の各種情報が記憶される。日報データ内の各種情報には、所定期間毎の湯生成量データ、湯使用量データ、外気温度データに関する情報が含まれる。すなわち、使用実績記憶領域４４ｂには、湯使用部１３において使用された湯の使用量の実績データが蓄積されることになる。これら情報は、所定期間毎のデータとして使用実績記憶領域４４ｂ内に格納される。
【００６７】
（３−２−５）演算処理部４５
演算処理部４５は、記憶部４４に記憶されている各種プログラムを読み出して実行し、各種の演算及び処理を行うＣＰＵ等の演算処理ユニットである。特に、演算処理部４５は、記憶部４４に記憶されているスケジュールの作成に関するプログラムを読み出して実行することで、給湯機１０の過去の湯の使用量の実績データに基づき給湯タンク１２に溜める湯の目標量であるタンク目標湯量を決定する決定部として機能する。演算処理部４５は、定数算出部４５ａ、タンク目標湯量算出部４５ｂ、及びスケジュール作成部４５ｃを有する。
【００６８】
定数算出部４５ａは、使用実績記憶領域４４ｂに蓄積されているデータに基づき、翌日に使用される湯の予測量（以下、予測湯使用量という）を算出するための使用量定数、及び翌日に生成される湯の予測量（以下、予測湯生成量という）を算出するための生成量定数を求める。
【００６９】
ここで、湯の使用量は外気温度により変化する傾向にあるため、湯の使用量を外気温度の関数として表すことができる。一方で、湯の使用量は曜日や時間帯により異なるため、ここでは、曜日毎に時間帯別の使用量定数を求める。使用量定数を求める際には、例えば、その物件に対応する外気温度データ及び湯使用量データのうち前日から遡って過去１年分の外気温度データ及び湯使用量データがそれぞれ抽出される。そして、抽出された外気温度データ及び湯使用量データのうちの翌日と同じ曜日（以下、所定の曜日という）のデータが更に抽出される。このとき、使用パターンや物件データ等に基づき、ノイズとなるデータが省かれてもよい。次に、抽出されたデータにおける時間帯毎の外気温度データ及び湯使用量データに基づいて近似式が作成される。これにより、所定の曜日における所定の時間帯に対応する使用量定数を求めることができる。
【００７０】
また、湯の生成量は外気温度により変化する傾向にあるため、湯の生成量を外気温度の関数として表すことができる。ここでは、所定時間における生成量定数を求める。生成量定数を求める際には、例えば、その物件に対応する湯生成量データのうち前日から遡って過去１年分の湯生成量データが抽出される。そして、抽出された湯生成量データのうちの夜間電力時間帯において熱源ユニット１１が所定時間（ここでは、６０分）稼働した際の湯生成量データ、及びこの湯生成量データに対応する外気温度データが更に抽出される。このとき、使用パターンや物件データ等に基づき、ノイズとなるデータが省かれてもよい。次に、抽出されたデータに基づき、近似式が作成される。これにより、翌日の生成量定数を求めることができる。なお、湯生成量には給水ライン１４を流れる水の温度（給水温度）も影響しうるが、給水温度は外気温度に比例して変化する傾向にあるため、ここでは、生成量定数の算出の際の演算項目から除外するものとする。
【００７１】
タンク目標湯量算出部４５ｂは、定数算出部４５ａにおいて算出された使用量定数及び生成量定数を利用して翌日の時間帯別のタンク目標湯量を決定する。ここでは、タンク目標湯量算出部４５ｂは、使用量定数及び生成量定数の他に、物件データ及び翌日の外気温度データを利用する。タンク目標湯量算出部４５ｂは、まず、取得した各種定数及び取得した各種データに基づき、翌日のタンク目標湯量の一部の仮決めを行う。そして、タンク目標湯量算出部４５ｂは、物件データ及び翌日の夜間電力時間帯の開始直前の残湯量データに基づき、翌日の時間帯別のタンク目標湯量を算出する。
【００７２】
スケジュール作成部４５ｃは、タンク目標湯量算出部４５ｂにて算出された翌日の時間帯別のタンク目標湯量に応じた翌日のスケジュールに関する情報を作成する。
【００７３】
（４）コントローラ２０及び管理サーバ４０における処理の流れ
図８は、コントローラ２０及び管理サーバ４０における処理の流れを示す図である。以下、図８を用いてコントローラ２０及び管理サーバ４０における処理の流れを説明する。図８は、タンク目標湯量のチューニングに関与する３つの要素（給湯機１０、コントローラ２０及び管理サーバ４０）が実行する処理の時間的関係、及びこれら要素間で受け渡されるデータの流れを示している。なお、図８では、上から下に時間の流れが規定されている。また、以下では、対象となる物件に対応する業種、設備、使用パターン、余裕率コースに関する情報を含む物件データが管理サーバ４０の物件情報記憶領域４４ａに既に記憶されているものとして説明する。
【００７４】
Ｓ１において、熱源ユニット１１における所定期間毎の湯生成量、湯使用部１３における所定期間毎の湯使用量、及び所定期間毎の外気温度の平均値を算出するために、コントローラ２０は、給湯機１０から送信される残湯量データ、湯生成量データ及び外気温度データ等の各種データを受け取る。コントローラ２０は、受け取った各種データの積算処理及び平均処理等の各種処理を行い、処理後のデータを記憶部２４の各記憶領域２４ａ，２４ｂ，２４ｃに記憶する。
【００７５】
Ｓ２において、コントローラ２０の日報データ作成部２５は、記憶部２４に記憶されている各種データに基づき、前日分の日報データを作成する。
【００７６】
Ｓ３において、コントローラ２０は作成した日報データを管理サーバ４０へと送信し、Ｓ４において、管理サーバ４０は受信した日報データに含まれる各種情報を、記憶部４４の使用実績記憶領域４４ｂに蓄積する。
【００７７】
Ｓ５において、管理サーバ４０の演算処理部４５は、給湯機１０の翌日のスケジュールに関する情報の一部を仮決めする。まず、演算処理部４５の定数算出部４５ａが、使用実績記憶領域４４ｂに蓄積されている各種データに基づき、使用量定数及び生成量定数を算出する。次に、タンク目標湯量算出部４５ｂが、物件情報記憶領域４４ａに記憶されている物件データのうちの、その物件に対応する業種、設備、使用パターン、余裕率コースに関する情報を抽出する。また、タンク目標湯量算出部４５ｂは、気象情報の提供サービスを行っている会社等から配信される翌日の気象情報を、インターネット６１を介して受信する。この気象情報には、翌日の時間帯別の外気温度データが含まれる。なお、気象情報に関しては、出来る限り最新の情報を取得することが好ましい。また、このとき、インターネット６１を介してタンク目標湯量算出部４５ｂが翌日の曜日や休日設定に関する情報を受信してもよい。そして、タンク目標湯量算出部４５ｂは、これら取得した各種データ、及び演算処理部４５の定数算出部４５ａが算出した使用量定数及び生成量定数に基づき、翌日のスケジュールに関する情報を仮決めする。
【００７８】
具体的には、タンク目標湯量算出部４５ｂは、まず、外気温度データと使用量定数とに基づき、翌日の予測湯使用量を算出する。より詳しくは、タンク目標湯量算出部４５ｂは、定数算出部４５ａにて算出された各時間帯に対応する使用量定数と、各時間帯に対応する翌日の外気温度データとから翌日の時間帯別の予測使用量を算出する。例えば、４月１１日金曜日の１３時〜１４時の時間帯の予測湯使用量を算出するのであれば、４月１１日金曜日の１３時〜１４時の予測外気温度に、定数算出部４５ａにおいて算出された金曜日の１３時〜１４時に対応する使用量定数を乗じることで算出することができる。
【００７９】
次に、タンク目標湯量算出部４５ｂは、翌日の予測湯使用量と物件データとに基づき、夜間電力時間帯に属する各時刻におけるタンク目標湯量、及び昼間電力時間帯に属する各時刻におけるタンク目標湯量をそれぞれ算出する。
【００８０】
より詳しくは、タンク目標湯量算出部４５ｂは、まず、時間帯別に算出した予測湯使用量を合計し、翌日１日分の予測湯使用量（以下より、予測湯総使用量という）を算出する。
【００８１】
次に、タンク目標湯量算出部４５ｂは、予測湯総使用量と最大貯湯量とに基づき、翌日の最大タンク目標湯量（単位は％）を求める。最大タンク目標湯量は、予測湯総使用量を最大貯湯量で除した値に１００を乗じて、さらに余裕率コースの割合を加えることにより求めることができる。
【００８２】
それから、タンク目標湯量算出部４５ｂは、昼間電力開始時刻におけるタンク目標湯量（単位は％）を算出する。昼間電力開始時刻におけるタンク目標湯量は、夜間電力時間帯における予測湯使用量を最大貯湯量で除した値に１００を乗じ、これを最大タンク目標湯量から減ずることで求めることができる。なお、夜間電力時間帯における予測湯使用量は、時間帯別に算出した予測湯使用量のうちの夜間電力時間帯に属する全ての時間帯の予測湯使用量を合計することで求めることができる。
【００８３】
その後、タンク目標湯量算出部４５ｂは、昼間電力開始時刻を除く昼間電力時間帯の各時刻におけるタンク目標湯量（単位は％）を算出する。例えば、昼間電力時間帯の所定時刻（例えば、９：００）におけるタンク目標湯量は、所定時刻（９：００）を終端時刻とする所定期間（８：００〜９：００）における予測湯使用量を最大貯湯量で除した値に１００を乗じ、これを所定時刻（９：００）の直前のタンク目標湯量の決定されている時刻（８：００、以下、前時刻という）におけるタンク目標湯量から減ずることで求めることができる。
【００８４】
このようにして、タンク目標湯量算出部４５ｂは、昼間電力時間帯の各時刻におけるタンク目標湯量を仮決めする。なお、仮決め時には、計算上、昼間電力開始時刻におけるタンク目標湯量が１００％を超える値になることもある。また、昼間電力開始時刻を除く昼間電力時間帯の各時刻におけるタンク目標湯量を求める際に、前時刻におけるタンク目標湯量が１００％を超えている場合には、前時刻におけるタンク目標湯量を１００％として算出するものとする。
【００８５】
ステップＳ６において、翌日の夜間電力時間帯の開始直前の時刻になると、コントローラ２０は、現在の残湯量データの取得命令を給湯機１０に対して送る。
【００８６】
ステップＳ７において、給湯機１０は、コントローラ２０からの取得命令を受けると、現在の残湯量データをコントローラ２０に対して送る。
【００８７】
ステップＳ８において、コントローラ２０は、取得した現在の残湯量データを、管理サーバ４０に送る。
【００８８】
ステップＳ９において、管理サーバ４０は、コントローラ２０から送られてきた現在の残湯量データに基づき、翌日のスケジュールに関する情報を作成する。
【００８９】
具体的には、まず、管理サーバ４０のタンク目標湯量算出部４５ｂは、物件情報記憶領域４４ａに記憶されているその物件の使用パターンに関する情報を抽出する。次に、タンク目標湯量算出部４５ｂは、図９に示すテーブルを参照して、算出した翌日の最大目標湯量、仮決めした昼間電力開始時刻のタンク目標湯量、及び抽出した使用パターンに関する情報から、対象物件の翌日のパターンを判定する。例えば、最大目標湯量が１００％以上であり、昼間電力開始時刻のタンク目標湯量が１００％以上であり、使用パターンとしての貯湯運転が有となっており、かつ夜間電力時間帯における湯の利用が無となっている場合には、対象物件の翌日のパターンをパターンＡと判定する。また、最大目標湯量が１００％以上であり、昼間電力開始時刻のタンク目標湯量が１００％以上であり、使用パターンとしての貯湯運転が有となっており、かつ夜間電力時間帯における湯の使用が有となっている場合には、対象物件の翌日のパターンをパターンＢと判定する。
【００９０】
その後、タンク目標湯量算出部４５ｂは、図１０に示すテーブルを参照して、各時刻におけるタンク目標湯量を決定する。より詳しくは、まず、タンク目標湯量算出部４５ｂは、図１０に示すテーブルを参照して、判定した対象物件の翌日のパターンと現在の残湯量データとに基づき、夜間電力時間帯の各時刻におけるタンク目標湯量を決定する。例えば、パターンＢ，Ｃの場合には、夜間電力時間帯に属する各時刻におけるタンク目標湯量は、全て１００％に決定される。また、パターンＥの場合には、算出した最大目標湯量が、夜間電力時間帯に属する各時刻におけるタンク目標湯量として決定される。
【００９１】
なお、パターンＡ，Ｄの場合には、タンク目標湯量算出部４５ｂは、現在の残湯量データに基づき、夜間電力時間帯に属する各時刻におけるタンク目標湯量を更に算出する。
【００９２】
具体的には、タンク目標湯量算出部４５ｂは、まず、仮決めした昼間電力開始時刻のタンク目標湯量と現在の残湯量データとに基づき、必要生成量を求める。必要生成量は、仮決めした昼間電力開始時刻のタンク目標湯量から現在のタンク湯量を減じた値に、最大貯湯量を乗じることで求めることができる。現在のタンク湯量は、現在の残湯量を最大貯湯量で除した値に１００を乗じることで求めることができる。
【００９３】
次に、タンク目標湯量算出部４５ｂは、予測湯生成量と必要生成量とに基づき、蓄熱運転の必要時間を求める。蓄熱運転の必要時間は、必要生成量を予測湯生成量で除した値に、予め設定されている安全時間を加えることで求めることができる。
【００９４】
そして、タンク目標湯量算出部４５ｂは、夜間電力時間帯に属する各時刻におけるタンク目標湯量を決定する。具体的には、タンク目標湯量算出部４５ｂは、昼間電力時間帯の開始時刻から蓄熱運転の必要時間を差し引いた時間の属する時刻におけるタンク目標湯量を、昼間電力開始時刻におけるタンク目標湯量と等しい湯量に決定する。一方、タンク目標湯量算出部４５ｂは、夜間電力時間帯に属する他の時刻におけるタンク目標湯量を、最低湯量（例えば、安全率と同様の湯量）に決定する。
【００９５】
また、タンク目標湯量算出部４５ｂは、図１０に示すテーブルを参照して、昼間電力時間帯の開始時刻におけるタンク目標湯量を決定する。例えば、パターンＡ，Ｂの場合には、昼間電力時間帯の開始時刻におけるタンク目標湯量が、１００％に決定される。また、パターンＣ，Ｄ，Ｅの場合には、仮決めした昼間電力開始時刻のタンク目標湯量が、昼間電力開始時刻におけるタンク目標湯量として決定される。
【００９６】
さらに、タンク目標湯量算出部４５ｂは、図１０に示すテーブルを参照して、昼間電力時間帯の開始時刻を除く昼間電力時間帯に属する各時刻におけるタンク目標湯量を決定する。例えば、パターンＡ，Ｂの場合には、仮決めした昼間電力時間帯の各時刻におけるタンク目標湯量が、昼間電力時間帯の各時刻におけるタンク目標湯量として決定される。また、パターンＣ，Ｄ，Ｅの場合には、最低湯量（例えば、安全率と同様の湯量）が、昼間電力時間帯の各時刻におけるタンク目標湯量として決定される。
【００９７】
そして、スケジュール作成部４５ｃは、タンク目標湯量算出部４５ｂが算出した翌日の各時刻におけるタンク目標湯量に基づき、翌日のスケジュールに関する情報を作成する。
【００９８】
ステップＳ１０において、管理サーバ４０は、作成した翌日のスケジュールに関する情報を、コントローラ２０へと送信する。そして、コントローラ２０は、管理サーバ４０から送信された翌日のスケジュールに関する情報を受信し、スケジュール記憶領域２４ｄに記憶する。
【００９９】
ステップＳ１１において、熱源制御部２６は、スケジュール記憶領域２４ｄに記憶されている各時刻のタンク目標湯量に応じて、熱源ユニット１１を制御する。
【０１００】
（５）特徴
（５−１）
従来より、熱源ユニットによって加熱された水すなわち湯が給湯タンクに溜められ、給湯タンクに溜められた湯が利用者に使用される構成の給湯機がある。
【０１０１】
ここで、給湯タンクに溜められている湯がない状態である湯切れを起こさないためには利用者による湯の使用量以上の湯を給湯タンクに溜めておく必要がある。すなわち、給湯タンク１２には、少なくとも利用者が使用する以前から利用者が使用する湯量以上の湯が溜められている必要がある。一方で、給湯タンク１２に溜める湯を生成するためには熱源ユニット１１を稼働させる必要があることから、利用者が使用する湯量以上の湯が給湯タンク１２に溜められていると、その余剰分の湯を生成するために熱源ユニット１１で余分に電力を消費していることになる。
【０１０２】
本実施形態では、過去の使用実績データに基づき算出された使用量定数及び生産量定数を利用してタンク目標湯量が決定され、これが翌日のスケジュールとして設定される。そして、設定された翌日のスケジュールに応じて基本沸き上げ動作や追加沸き上げ動作が実行される。このため、利用者の使用状況に応じて効率的に給湯タンクに湯を溜めることができる。
【０１０３】
また、宿泊施設、給食センター、食堂、病院及び福祉施設等の商業施設における給湯機の湯の使われ方の特徴として、一般家庭に比べて曜日毎に必要な湯量が大きく変動するという特徴がある。本実施形態では、タンク目標湯量が、過去の使用実績データに基づき算出された曜日別の使用量定数を利用して決定されている。具体的には、過去の使用実績データのうちの翌日と同じ曜日の使用実績データに基づき使用量定数が算出され、この使用量定数を利用して翌日のタンク目標湯量が決定されている。すなわち、タンク目標湯量が曜日別に決定されている。このため、特に曜日別に湯の使用状況が大きく変動するような物件においては、より効率的に給湯タンク１２に湯を溜めることができるタイミングで基本沸き上げ動作や追加沸き上げ動作を行うことができる。
【０１０４】
これによって、給湯タンク１２に効率的に貯湯することができている。
【０１０５】
（５−２）
本実施形態では、時間帯別（時刻別）にタンク目標湯量が決定されている。具体的には、過去の使用実績データのうちの各時間帯の使用実績データに基づき使用量定数が算出され、この使用量定数を利用して翌日の各時間帯別のタンク目標湯量が決定されている。すなわち、過去の時間帯別の湯の使用実績データに応じたタンク目標湯量を決定することができる。これにより、例えば、１日毎にタンク目標湯量が決定されているよりも、適切な湯量を給湯タンク１２に溜めておくことができている。
【０１０６】
（５−３）
ここで、給湯タンク１２や受水槽１７が屋外に設置されている場合、給湯タンク１２に貯留される湯の温度は外気温度や天候の影響を受けやすい傾向にある。
【０１０７】
本実施形態では、外気温度データを利用してタンク目標湯量が決定されている。このため、給湯タンク１２に溜める湯量を適切に制御することができている。
【０１０８】
（５−４）
本実施形態の制御装置６０は、給湯機１０を遠隔から管理するための管理サーバ４０を備えている。このため、遠隔から使用実績データやタンク目標湯量等を監視することができている。また、気象情報の提供サービスを行っている会社等から配信される翌日の外気温度情報や気象情報を取得して、タンク目標湯量を決定する際に利用することができている。
【０１０９】
（５−５）
本実施形態の給湯機１０は、給水ライン１４を介して熱源ユニット１１へと送られる水を貯留する受水槽１７を有する。このため、受水槽１７を有する給湯機１０を制御することができている。
【０１１０】
また、受水槽１７があることで、一時的に多量の水を使用することができると共に、災害時や事故等による水道の断減水時にも水を使用することができる。
【０１１１】
さらに、本実施形態では、受水槽１７が屋外に設置されていることから、受水槽１７に貯留される水は外気温度の影響を受けやすい傾向にある。ここでは、外気温度情報が利用されてタンク目標湯量が決定されているため、受水槽１７を備える給湯機１０であっても、給湯タンク１２に溜める湯量を適切に制御することができている。
【０１１２】
（６）変形例
（６−１）変形例Ａ
上記実施形態では、制御装置６０がコントローラ２０と管理サーバ４０とを備えており、コントローラ２０と管理サーバ４０とがインターネット６１を介して接続されて遠隔管理のできるものとなっている。
【０１１３】
しかしながら、本発明に係る制御装置６０はこれに限定されず、例えば、ネットワークに接続されないコントローラのみから構成されていてもよい。この場合、コントローラは、上記実施形態のコントローラ２０の構成に加えて演算処理部を更に備えており、記憶部２４には、物件情報記憶領域と蓄積部としての使用実績記憶領域とが更に含まれる。そして、演算処理部のタンク目標湯量算出部は、過去の所定期間（例えば、過去１週間）の外気温度データを利用して、翌日の各時刻におけるタンク目標湯量を算出する。このように、ネットワークに接続されていなくても、曜日別及び／又は時間帯別のタンク目標湯量を決定することができるため、給湯タンク１２に効率的に貯湯することができる。
【０１１４】
（６−２）変形例Ｂ
図１１は、保温ライン１８を備える給湯機１０’の概略構成図である。なお、給湯機１０’は、上記実施形態の給湯機１０の構成に加えて保温ライン１８が更に設けられている以外は上記給湯機１０と同様の構成であるため、以下の説明では給湯機１０と同様の構成に関しては説明を省略すると共に、同一の符号を付している。
【０１１５】
上記実施形態では、基本沸き上げ動作及び追加沸き上げ動作を熱源ユニット１１に行わせているが、これら動作に加えて、給湯タンク１２内に溜められた湯の温度を目標温度にするための保温動作を熱源ユニット１１に行わせてもよい。保温動作は、給湯タンク１２に溜められた湯の温度（残湯温度）に基づき熱源制御部２６により行われる動作であり、熱源制御部２６が熱源ユニット１１に保温動作を行わせることで保温運転が行われる。保温動作は、残湯温度が所定温度（例えば、６０度）まで下がると、残湯温度が目標温度（例えば、６３度）になるまでタンク目標湯量とは関係なく行われる。保温運転が行われることで、給湯タンク１２内に溜められている湯が図１１に示す保温ライン１８を介して熱源ユニット１１へと戻され、熱源ユニット１１において再加熱された後に、出湯ライン１５を介して再び給湯タンク１２へと送られる。このように、保温運転が行われることで、給湯タンク１２に溜められた湯の温度が下がりすぎるおそれを低減することができる。
【０１１６】
ところで、蓄熱運転や貯湯運転に加えて保温運転が行われる場合には、給湯タンク１２に溜められた湯を目標温度にする方法として、蓄熱運転や貯湯運転により温度の高い湯を給湯タンク１２へと供給することで給湯タンク１２に溜められた湯量を増やしながら給湯タンク１２内の湯の温度を上げる方法と、保温運転により給湯タンク１２に溜められた湯量を増やさずに給湯タンク１２内の湯の温度を上げる方法とがあることになる。貯湯運転や蓄熱運転はタンク目標湯量に応じて行われるが、保温運転はタンク目標湯量に関係なく残湯温度に応じて行われるため、保温運転が行われた直後に蓄熱運転や貯湯運転が行われる場合がある。また、給湯タンク１２に溜められた湯を目標温度にする場合、保温運転が行われるよりも、貯湯運転や蓄熱運転が行われたほうが、ＣＯＰがよいことがある。
【０１１７】
そこで、蓄熱運転や貯湯運転に加えて保温運転が行われる場合には、保温動作の動作履歴データを蓄積し、この動作履歴データが翌日のタンク目標湯量を決定する際に利用されてもよい。例えば、蓄積された動作履歴データに基づき、他の曜日よりも保温動作の回数が多い曜日があれば、スケジュールを作成する際に、その曜日のタンク目標湯量を減らしたり、基本沸き上げ動作や追加沸き上げ動作のタイミングが早くなるようにタンク目標湯量を決定したりしてもよい。
【０１１８】
図１２は、保温動作の動作履歴データが利用されずに決定されたタンク目標湯量に応じて行われた各運転及び使用実績の一例を示す図である。図１３は、保温動作の動作履歴データが利用されて決定されたタンク目標湯量に応じて行われた各運転及び使用実績の一例を示す図である。なお、図１２及び図１３では、貯湯運転及び蓄熱運転を総じて給湯運転としている。保温動作の動作履歴データを利用してタンク目標湯量を調整すると、調整後のタンク目標湯量を示す図１３では、調整前のタンク目標湯量を示す図１２と比較して、７時から１３時及び１７時から１９時におけるタンク目標湯量を減らす一方で、１５時及び１６時におけるタンク目標湯量を増やす調整が行われている。これにより、昼間時間帯における給湯運転の回数、及び保温運転の回数を減らすことができている。このように保温動作の動作履歴データを利用してタンク目標湯量が決定されることで、保温運転が行われる回数を減らしたり、保温運転に代えて貯湯運転や蓄熱運転を行わせたりすることができる。
【０１１９】
（６−３）変形例Ｃ
上記実施形態では、コントローラ２０と管理サーバ４０との間で、主に日報データ及び残湯量データの通信が行われている。これら通信に加えて、常に双方向で通信か行われていてもよい。
【０１２０】
例えば、所定時間（例えば、１分間）毎に、給湯機１０に関する各種データがコントローラ２０から管理サーバ４０へと送信されるような構成になっていてもよい。これにより、給湯タンク１２の残湯量や残湯量温度等の給湯機１０に関する各種データを遠隔から常時監視したり、タンク目標温度や生成湯温度等を遠隔から変更したり、或いは、給湯タンク１２の残湯量が足りない場合や給湯機１０の各種機器に異常が発生した場合に管理者や利用者にメール等の手段で知らせたりすることができる。さらに、日報データを管理サーバ４０側で編集作成することもできる。
【０１２１】
（６−４）変形例Ｄ
上記実施形態の給湯機１０は受水槽１７を備えており、受水槽１７に溜められた水が熱源ユニット１１へと供給されているが、受水槽１７を備えていない給湯器に本発明が適用されてもよい。この場合、給水ライン１４が上水道等の給水部に接続されており、該給水部から熱源ユニット１１へと水が供給されることになる。受水槽がないことで、物件において受水槽を設置するためのスペースを削減することができる。
【０１２２】
（６−５）変形例Ｅ
上記実施形態において、給湯機１０にコントローラ２０を設置してから所定期間（例えば、２週間）が経過するまでの間は、チューニングを行うための実績データが不十分であるため、実績データに基づくタンク目標湯量のチューニングは行われず、管理者等によって曜日別及び時間別に予め設定されている初期設置値がタンク目標湯量として決定されてもよい。さらに、給湯機１０にコントローラ２０を設置してから所定期間（例えば、２週間から１ヶ月）の間は、チューニングを行うための実績データが十分ではない可能性があるため、設定されている余裕率コースに関する情報に拘わらず、余剰湯量２０％コースでタンク目標湯量が算出されるようになっていてもよい。これにより、給湯タンク１２における湯切れを防止することができる。
【０１２３】
また、上記実施形態において、利用者により物件データやタンク目標湯量の設定が変更される場合には、利用者による設定変更が優先されるようになっていてもよい。
【０１２４】
さらに、上記実施形態において、コントローラ２０と管理サーバ４０との通信不良により各種データの取得できなかった場合には、管理者等が設定した初期設定値がタンク目標湯量として決定されてもよい。
【０１２５】
（６−６）変形例Ｆ
上記実施形態では、翌日の外気温度データを利用して、タンク目標湯量が決定されている。しかしながら、本発明はこれに限定されるものではなく、外気温度以外の翌日の気象情報（例えば、天候等）が外気温度に代えて、或いは外気温度に加えて利用されて、タンク目標湯量が決定されてもよい。
【０１２６】
（６−７）変形例Ｇ
上記実施形態では、物件の翌日のパターンが判定され、予め記憶されている図１０に示すテーブルを参照して各時刻におけるタンク目標湯量が決定されている。このとき参照される図１０に示されるテーブルは、一例を示すものであって、これに限定されるものではない。
【０１２７】
例えば、図１０に示されるテーブルでは、物件の翌日のパターンがパターンＣ，Ｄ，Ｅの場合には、昼間電力時間帯の各時刻におけるタンク目標湯量が、最低湯量（例えば、安全率）に決定されている。これに加えて、昼間電力時間帯の各時刻におけるタンク目標湯量を最低湯量にして運用したときに給湯タンク１２における湯切れが所定回数以上発生した場合には、これを管理者や利用者等にメール等で通知すると共に、仮決めした昼間電力時間帯の各時刻におけるタンク目標湯量が昼間電力時間帯の各時刻におけるタンク目標湯量として決定されるようになっていてもよい。これにより、昼間電力時間帯における利用者による突然の湯の使用により給湯タンク１２の湯切れが発生するおそれを低減することができる。
【０１２８】
また、例えば、図１０に示されるテーブルでは、物件の翌日のパターンがパターンＢ，Ｃの場合には、夜間電力時間帯に属する各時刻におけるタンク目標湯量が全て１００％に決定される。これに代えて、パターンＡ，Ｄと同様に、現在の残湯量データに基づき夜間電力時間帯に属する各時刻のタンク目標湯量が更に算出されるようになっていてもよい。これにより、蓄熱運転の開始時刻を遅らせることができるため、給湯タンク１２における放熱ロスを減らすことができる。
【０１２９】
（６−８）変形例Ｈ
ここで、建物内に設置された設備機器は電力の供給を受けているため、設備機器は電力の消費源となり得る。一般的に消費電力の合計値が大きいほど、契約している電力会社に支払う基本料金が高くなるため、近年では、設備機器を含む様々な機器の消費電力の合計値をなるべく抑えようとする動きが高まりつつある。
【０１３０】
そこで、上記実施形態に加えて、タンク目標湯量が給湯機１０の設置されている物件における設備機器のデマンド時限に応じて設定されている給湯機１０の消費電力量を利用して決定されていてもよい。このように、所定時間帯における給湯機１０の消費電力量が抑えられるようにタンク目標湯量が決定されることで、利用者の湯の使用状況に対応すると共に、設備機器全体の消費電力量を調整することができる。
【産業上の利用可能性】
【０１３１】
本発明によれば、給湯タンクに効率的に貯湯することができるため、給湯タンクを備える給湯機の制御装置への適用が有効である。
【符号の説明】
【０１３２】
１０      給湯機
１１      熱源ユニット
１２      給湯タンク
１３      湯使用部
１４      給水ライン
１６      湯循環路（給湯ライン）
１７      受水槽
２６      熱源制御部
４０      管理サーバ（遠隔制御部）
４４ｂ    使用実績記憶領域（蓄積部）
４５      演算処理部（決定部）
６０      制御装置
【先行技術文献】
【特許文献】
【０１３３】
【特許文献１】特開２０１３−８７９６１号公報
【図１】
0006582476.tif 000002
【図２】
0006582476.tif 000003
【図３】
0006582476.tif 000004
【図４】
0006582476.tif 000005
【図５】
0006582476.tif 000006
【図６】
0006582476.tif 000007
【図７】
0006582476.tif 000008
【図８】
0006582476.tif 000009
【図９】
0006582476.tif 000010
【図１０】
0006582476.tif 000011
【図１１】
0006582476.tif 000012
【図１２】
0006582476.tif 000013
【図１３】
0006582476.tif 000014